(57)【要約】【課題】本発明は、マイクロフォンを用いたスピーチ、歌唱等を正確かつ円滑に行うことのできる話手支援装置を提供することを課題とする。【解決手段】制御部１３は入出力インタフェース部１４から受けた操作信号に従い、カードインタフェース部１５を介してカードスロット１１に装着されたメモリカード４０からスピーチ文若しくは歌詞などの話手が参照するガイド用の文章情報を読み込み、表示制御部１６を制御して、読み込んだ文章情報に従うスピーチ文若しくは歌詞などの文章を表示部１２にスクロール表示する。【選択図】    図１
2005341373.tif 000002
【特許請求の範囲】
【請求項１】
文字列表示が可能な表示部と、操作部と、スピーチ文若しくは歌詞などの話手が参照するガイド用の文章情報を記憶した記憶媒体が装着される装着部と、前記操作部の操作に従い、前記装着部に装着された記憶媒体から前記文章情報を読み出し、当該文章情報に従う文章を前記表示部にスクロール表示若しくは切替表示する表示制御手段とを備えた装置本体と、
前記装置本体をマイクロフォンに装着する装着機構と
を具備したことを特徴とする話手支援装置。
【請求項２】
前記装着機構に、前記装置本体がマイクロフォンに装着された状態で前記表示部の表示面を当該装置本体の操作者の目視位置に調節し支持する機構を具備した請求項１記載の話手支援装置。
【請求項３】
前記表示制御手段は、前記記憶媒体から読み出した文章情報に従う文章を前記表示部にスクロール表示若しくは切替表示する請求項１または２記載の話手支援装置。
【発明の詳細な説明】
【技術分野】
【０００１】
本発明は、マイクロフォンを用いたスピーチ、歌唱等に適用して好適な話手支援装置に関する。
【背景技術】
【０００２】
従来、マイクロフォンおよび拡声機器を用いたスピーチに於いて、スピーチを大過なく円滑に行うために、予め話す内容を記述したメモを用意し、そのメモを参照して話す手段が広く用いられている。
【発明の開示】
【発明が解決しようとする課題】
【０００３】
しかしながらこのようなメモを参照しながらのスピーチはメモ用紙の取り扱いに伴う雑音がマイクロフォンに拾われ増幅されて出力される不具合があった。また、メモの読み取り位置を見誤り、メモの内容を正しく伝達できない虞があるとともに、メモを頻繁に参照しながらのスピーチはパーティー等に於ける聞き手の側から見苦しい等の問題があった。
【０００４】
本発明は上記実情に鑑みなされたもので、マイクロフォンを用いたスピーチ、歌唱等を正確かつ円滑に行うことのできる話手支援装置を提供することを目的とする。
【課題を解決するための手段】
【０００５】
本発明の話手支援装置は、装置本体と、この装置本体をマイクロフォンの胴体部に装着する装着機構とを備え、上記装置本体に、スピーチ文若しくは歌詞などの話手が参照するガイド用の文章情報を記憶した記憶媒体が装着される装着部と、操作部と、文字列表示が可能な表示部と、上記操作部の操作に従い上記装着部に装着した記憶媒体から上記文章情報を読み出し、当該文章情報に従う文章を上記表示部にスクロール表示若しくは切替表示する表示制御手段とを具備して、話手の操作で例えばスピーチの進行に従うスピーチ文を表示部にスクロール表示若しくは切替表示して話手のスピーチを支援することを特徴とする。
【発明の効果】
【０００６】
マイクロフォンを用いたスピーチ、歌唱等を正確かつ円滑に行うことができる。
【発明を実施するための最良の形態】
【０００７】
以下図面を参照して本発明の実施形態を説明する。
【０００８】
本発明の実施形態に係る話手支援装置のマイクロフォンへの取り付け状態例を図１に示し、必要とする外部コンポーネントを含む装置の外観構成を図２に示す。本発明の実施形態に係る話手支援装置１は、装置本体１０と、装置本体１０をマイクロフォン３０に装着する装着機構２０とを具備して構成される。装着機構２０は弾性を有するΩ状の把持部で構成され、当該把持部をマイクロフォン３０の胴体部に嵌合することにより装置本体１０がマイクロフォン３０の胴体部に装着される。装置本体１０と装着機構２０との間にはヒンジ機構２１が設けられ、装着機構２０によってマイクロフォン３０に装着した装置本体１０をマイクロフォン３０の胴体部に対し所定量回動可能にして、マイクロフォン３０に装着した装置本体１０の表示面の角度を調整可能にしている。装置本体１０には、筐体一側面を開口してカードスロット１１が設けられるとともに、筐体の前面に表示部１２が設けられる。更に筐体の背面には後述する表示操作のための操作部が設けられる。カードスロット１１には、スピーチ文若しくは歌詞などの話手が参照するガイド用の文章情報を記憶したメモリカード４０が装着される。表示部１２は例えばＬＣＤ（Liquid Crystal Display）により構成され、十数桁乃至数十桁程度の文字列表示を可能にしている。
【０００９】
上記装置本体１０の内部構成要素を図３に示している。装置本体１０には、上記したカードスロット１１、表示部１２の他に、制御部１３、入出力インタフェース部（ＩＯ−Ｉ／Ｆ）１４、カードインタフェース部（Card−Ｉ／Ｆ）１５、表示制御部１６、電源スイッチ１７、スクロール操作スイッチ１８、スクロール速度設定部１９等が設けられる。尚、ここでは装置本体１０に内蔵される動作用のバッテリー電源および電源回路を省略して示している。
【００１０】
制御部１３は１チップマイクロコンピュータを用いて構成され、図５に示すような処理を実行する。ここでは入出力インタフェース部１４から受けた操作信号に従い、カードインタフェース部１５を介してカードスロット１１に装着されたメモリカード４０からスピーチ文若しくは歌詞などの話手が参照するガイド用の文章情報を読み込み、表示制御部１６を制御して、読み込んだ文章情報に従うスピーチ文若しくは歌詞などの文章を表示部１２に表示する。
【００１１】
電源スイッチ１７、スクロール操作スイッチ（スクロールボタンと称す）１８、スクロール速度設定部１９等の各操作部はそれぞれ入出力インタフェース部１４に接続される。この各操作部はそれぞれプルアップ抵抗（Ｒ）によりＶｃｃ電位にプルアップされ、操作に伴うＶｃｃ電位−接地電位間の信号が操作信号として入出力インタフェース部１４に入力される。入出力インタフェース部１４は、電源スイッチ１７、スクロールボタン１８、スクロール速度設定部１９等の各操作部の操作信号を各々Ａ／Ｄ変換し、その各操作信号（操作指令コマンド）を制御部１３に通知する。尚、ここでは電源スイッチ１７に、手動操作によりオン／オフするスイッチではなく、装着機構２０の把持部がマイクロフォン３０の胴体部に嵌合された際にスイッチオンとなり、装着機構２０の把持部がマイクロフォン３０の胴体部から外された際にスイッチオフとなるマイクロスイッチを用いている。ここではマイクロスイッチに設けられた操作リードの先端を装着機構２０の把持部の内側に突出させておき、把持部がマイクロフォン３０の胴体部に嵌合された際に操作リードの先端がマイクロフォン３０の胴体部に押圧操作されることによってスイッチオンとなる構成としている。
【００１２】
カードインタフェース部１５はカードスロット１１に装着されたメモリカード４０を制御部１３にリードアクセス可能にインタフェース接続する。表示制御部１６は制御部１３の制御の下にスピーチ文若しくは歌詞などの文章を表示部１２に表示出力する。ここではスクロール操作スイッチ１８の操作によるスクロール指示に従いスクロール速度設定部１９で設定されたスクロール速度で例えば漢字混じりの文、英文等の各種文章をスクロール表示する。
【００１３】
上記した構成による話手支援装置の使用例並びに動作例をマイクロフォンを用いたスピーチを例に図１乃至図３と図５を参照して説明する。  
これから行うスピーチのスピーチ文を記憶したメモリカード４０を装置本体１０のカードスロット１１に装着し、装置本体１０に設けられた装着機構２０の把持部をマイクロフォン３０の胴体部に嵌合して、話手支援装置１をマイクロフォン３０に装着する。この際、装置本体１０に設けられた表示部１２の表示面が話手の見易い目視範囲に収まるように、装置本体１０の取り付け角度をヒンジ機構２１の回動可能範囲内で調整する。
【００１４】
装着機構２０の把持部がマイクロフォン３０の胴体部に嵌合されることによって電源スイッチ１７がスイッチオンとなり、制御部１３が図５示す処理手順で話手支援処理動作を開始する。この処理では、まずカードスロット１１にメモリカード４０が装着されているか否かがチェックされる（ステップＳ１１）。ここで、メモリカード４０が装着されていない際（ステップＳ１１  Ｎｏ）は、表示部１２にメモリカードを挿入する旨のガイドメッセージを表示して、メモリカード４０がカードスロット１１に装着されるのを待つ。
【００１５】
カードスロット１１にメモリカード４０が装着されていることを確認すると（ステップＳ１１  Ｙｅｓ）、当該メモリカード４０からスピーチ文を読み込み（ステップＳ１２）、スピーチ文の表示を開始する（ステップＳ１３）。最初は表示部１２に表示可能な所定桁のスピーチ文の文字列を表示制御部１６を介して表示部１２に表示する。
【００１６】
このスピーチ文の表示に従うスピーチの進行に伴って、スクロールボタン１８が操作されると（ステップＳ１４  Ｙｅｓ）、その操作に伴って表示部１２に表示されるスピーチ文をスクロール速度設定部１９で設定したスクロール速度に従いスクロール表示する（ステップＳ１５）。このスクロールボタン１８の操作に伴うスクロール表示がスピーチ文すべての表示を終了するまで繰り返し実行され（ステップＳ１６）、メモリカード４０から読み込んだスピーチ文のすべての表示が終了したことを確認して装置の動作電源を遮断（スイッチオフ）する（ステップＳ１７）。
【００１７】
このようなスピーチの進行に伴うスピーチ文の表示スクロールにより、マイクロフォンを用いたスピーチを正確かつ円滑に行うことができる。
【００１８】
上記した実施形態の電源スイッチ１７は、装着機構２０の把持部がマイクロフォン３０の胴体部に装着された際にスイッチオンとなる構成であったが、手動操作によりオン／オフするスイッチを用いた場合は、電源スイッチ１７を操作する都度、文章（例えばスピーチ文）の表示を中断し、中断した位置から再開する機能構成の話手支援（例えばスピーチガイド）を実現できる。  
この際は、電源スイッチ１７を操作して、スピーチ文の表示を開始（ステップＳ１３参照）した後、メモリカード４０から読み込んだスピーチ文のすべての表示が終了する（ステップＳ１６参照）以前の表示動作時に於いて、電源スイッチ１７が操作されると、制御部１３が、表示部１２に現在表示しているスピーチ文の表示位置（停止位置のスピーチ文のメモリアドレス）を保持した状態で、装置が電源オフされ、その後、再び電源スイッチ１７が操作されると、制御部１３が前回表示の際に停止された位置から表示を再開する制御を行う。
【００１９】
このような中断、再開動作が、電源スイッチ１７を操作する度に、繰り返し行われる。
【００２０】
このような機能構成に於いては、スピーチの進行に伴って電源スイッチ１７を単に操作（オン／オフ）すればよく、電源スイッチ１７のみの単純な操作でスピーチガイドが行えることから、スピーチを正確かつ円滑に行うことができる。
【００２１】
尚、このような電源スイッチ１７を操作する度に、中断、再開が繰り返される機能構成とした場合は、上記したスクロールボタン１８を用いたスクロール機能を必ずしも必要としない。
【００２２】
本発明の他の実施形態を図４に示す。上記した実施形態では、入出力インタフェース部１４に、スクロール操作スイッチ１８とスクロール速度設定部１９とを接続した構成であったのに対して、この図４に示す実施形態では、スクロール指示およびスクロール速度を一つのスクロール操作レバー４１を用いて行う構成としている。この例では、スクロール操作レバー４１を矢印ａ方向に引くことにより、その操作量に従い可変抵抗器４２の抵抗値が変化し、その変化量に伴う電圧値の信号がスクロール指示の操作信号として入出力インタフェース部１４に入力され、Ａ／Ｄ変換されて制御部１３に通知される。制御部１３はスクロール操作レバー４１が矢印ａ方向に操作されると、その操作量に応じたスクロール速度で表示部１２にスピーチ文をスクロール表示する制御を行う。このような構成によりスクロール操作レバー４１の操作のみでスピーチの進行に伴う任意のスクロール速度でスピーチ文を参照することができる。
【図面の簡単な説明】
【００２３】
【図１】本発明の実施形態に係る話手支援装置の取り付け状態例を示す図。
【図２】上記実施形態に係る手支援装置の外観構成を示す図。
【図３】上記実施形態に係る手支援装置の回路構成を示すブロック図。
【図４】本発明の他の実施形態に係る要部の回路構成を示す図。
【図５】上記図３に示す手支援装置の処理手順を示すフローチャート。
【符号の説明】
【００２４】
１…話手支援装置、１０…装置本体、１１…カードスロット、１２…表示部、１３…制御部、１４…入出力インタフェース部（ＩＯ−Ｉ／Ｆ）、１５…カードインタフェース部（Card−Ｉ／Ｆ）、１６…、表示制御部、１７…電源スイッチ、１８…スクロール操作スイッチ、１９…スクロール速度設定部、２０…装着機構、３０…マイクロフォン、４０…メモリカード、４１…スクロール操作レバー、４２…可変抵抗器。
【図１】
2005341373.tif 000003
【図２】
2005341373.tif 000004
【図３】
2005341373.tif 000005
【図４】
2005341373.tif 000006
【図５】
2005341373.tif 000007